(57)【要約】【課題】本発明は、ポケットやバッグの片隅に入れて持ち運びすることができ、急に雨が降ってきても、少なくとも顔面を含む頭部を即座に雨から防ぐことができ、歩行時のみならず自転車乗車時でも使用することができ、ハイキングや登山などで雨や風、日光、寒さなどから少なくとも顔面を含む頭部を簡単に守ることができる防護用かぶり物を提供することを目的とする。【解決手段】本発明に係る少なくとも防護用かぶり物Ａは、下端に開口部３を有する袋体１０であって、上下方向中央より下方の位置に呼吸用孔１１が設けられ、上下方向中央部近傍の左右の位置に目視用孔１２ａ、１２ｂが設けられ、前記開口部には、その周囲に引き絞り紐２０が配設され、各引き絞り紐の端部に引き絞り紐を引き絞って固定することが可能な端末部材２３が取り付けられてなることを特徴とする。【選択図】  図６
2020012211.tif 000002
【特許請求の範囲】
【請求項１】
少なくとも正面側シート部と背面側シート部とを備え、下端に開口部を有する袋体であって、
前記正面側シート部及び背面側シート部は、一部又は全体が透明素材よりなり、
前記正面側シート部及び背面側シート部には、上下方向中央より下方の位置に各シート部を共に貫通する呼吸用孔が設けられ、
前記開口部には、その周囲に第１及び第２の引き絞り紐が配設され、
各引き絞り紐の端部は、正面中央と背面中央とで引き揃えられて、それぞれの端部に引き絞り紐を引き絞って固定することが可能な端末部材が取り付けられてなる
ことを特徴とする防護用かぶり物。
【請求項２】
前記正面側シート部及び背面側シート部には、上下方向中央部近傍の左右の位置に各シート部を貫通する目視用孔が設けられている
ことを特徴とする請求項１に記載の防護用かぶり物。
【請求項３】
前記第１及び第２の引き絞り紐は、正面側から背面側に至る左右一対の引き絞り紐であって、
前記第１の引き絞り紐における一方の端部と第２の引き絞り紐における一方の端部とが正面中央において引き揃えられて、その両端部に前記端末部材が取り付けられ、
前記第１の引き絞り紐における他方の端部と第２の引き絞り紐における他方の端部とが背面中央において引き揃えられて、その両端部に前記端末部材が取り付けられてなる
ことを特徴とする請求項１又は２に記載の防護用かぶり物。
【請求項４】
前記第１及び第２の引き絞り紐は、正面中央から背面側を経由して正面中央に至る第１の引き絞り紐と、背面中央から正面側を経由して背面中央に至る第２の引き絞り紐であって、
前記第１の引き絞り紐における一方の端部と第１の引き絞り紐における他方の端部とが正面中央において引き揃えられて、その両端部に前記端末部材が取り付けられ、
前記第２の引き絞り紐における一方の端部と第２の引き絞り紐における他方の端部とが背面中央において引き揃えられて、その両端部に前記端末部材が取り付けられてなる
ことを特徴とする請求項１又は２に記載の防護用かぶり物。
【請求項５】
前記開口部には、その周囲に複数の紐通し用孔が設けられ、
前記紐通し用孔には第１及び第２の引き絞り紐が挿通されてなる
ことを特徴とする請求項１〜４のいずれか１項に記載の防護用かぶり物。
【請求項６】
矩形シートの上部左右の隅角部を斜めに切除した形状をなす正面側シート部と、当該正面側シート部と同一大の背面側シート部とを重ね合わせ、開口部となる下端を除く周囲を閉塞した袋体において、
正面側シート部と背面側シート部との双方同位置に同形状の呼吸用孔及び目視用孔とを設けた
ことを特徴とする請求項２〜５のいずれか１項に記載の防護用かぶり物。
【請求項７】
前記袋体における上部内周面に有色シートが配設されている
ことを特徴とする請求項１〜６のいずれか１項に記載の防護用かぶり物。
【発明の詳細な説明】
【技術分野】
【０００１】
本発明は、顔面を含む頭部を、雨や風、日光、寒さなどから防護するための防護用かぶり物に関する。
【背景技術】
【０００２】
従来は、顔面を含む頭部を、雨や風、日光、寒さなどから防護するために、一般には、帽子又は目無し帽を着用したり、マスクをしたり、傘を使用していた。
【０００３】
しかしながら、帽子や目無し帽は、自転車に乗る場合には便利であるが、雨に濡れるのを防ぐことはできず、また、衣服のポケットやバッグに入れる場合には嵩張ったり、型崩れしたりする欠点がある。
【０００４】
マスクは嵩が低く、ポケットやバッグに入れても嵩張らない利点があるが、風雨や日光を防ぐことはできず、防寒にも効果はあまり期待できない。
【０００５】
傘は、通常の雨を防ぐことはできるが、強い雨や風を伴う場合には、役に立たないこともあり、不使用時には邪魔な存在である。しかも、傘をさして自転車に乗ることは危険であり、やってはならないことである。
【発明の概要】
【発明が解決しようとする課題】
【０００６】
そこで、本発明者は、鋭意研究を重ね、外出時に嵩張ることなく、ポケットやバッグの片隅に入れて持ち運びすることができ、急に雨が降ってきても、少なくとも顔面を含む頭部を即座に雨から防ぐことができ、しかも歩行時のみならず自転車乗車時でも使用することができ、さらに、ハイキングや登山などで雨や風、日光、寒さなどから少なくとも顔面を含む頭部を簡単に守ることができる防護用かぶり物を開発した。
【課題を解決するための手段】
【０００７】
本発明の請求項１に係る防護用かぶり物は、少なくとも正面側シート部と背面側シート部とを備え、下端に開口部を有する袋体であって、前記正面側シート部及び背面側シート部は、一部又は全体が透明素材よりなり、前記正面側シート部及び背面側シート部には、上下方向中央より下方の位置に各シート部を共に貫通する呼吸用孔が設けられ、前記開口部には、その周囲に第１及び第２の引き絞り紐が配設され、各引き絞り紐の端部は、正面中央と背面中央とで引き揃えられて、それぞれの端部に引き絞り紐を引き絞って固定することが可能な端末部材が取り付けられてなることを特徴とする。
【０００８】
また、本発明の請求項２に係る防護用かぶり物は、上記請求項１の構成に加えて、前記正面側シート部及び背面側シート部には、上下方向中央部近傍の左右の位置に各シート部を貫通する目視用孔が設けられていることを特徴とする。
【０００９】
さらに、本発明の請求項３に係る防護用かぶり物は、上記請求項１又は２の構成に加えて、前記第１及び第２の引き絞り紐は、正面側から背面側に至る左右一対の引き絞り紐であって、前記第１の引き絞り紐における一方の端部と第２の引き絞り紐における一方の端部とが正面中央において引き揃えられて、その両端部に前記端末部材が取り付けられ、前記第１の引き絞り紐における他方の端部と第２の引き絞り紐における他方の端部とが背面中央において引き揃えられて、その両端部に前記端末部材が取り付けられてなることを特徴とする。
【００１０】
さらにまた、本発明の請求項４に係る防護用かぶり物は、上記請求項１又は２の構成に加えて、前記第１及び第２の引き絞り紐は、正面中央から背面側を経由して正面中央に至る第１の引き絞り紐と、背面中央から正面側を経由して背面中央に至る第２の引き絞り紐であって、前記第１の引き絞り紐における一方の端部と第１の引き絞り紐における他方の端部とが正面中央において引き揃えられて、その両端部に前記端末部材が取り付けられ、前記第２の引き絞り紐における一方の端部と第２の引き絞り紐における他方の端部とが背面中央において引き揃えられて、その両端部に前記端末部材が取り付けられてなることを特徴とする。
【００１１】
また、本発明の請求項５に係る防護用かぶり物は、上記請求項１〜４のいずれか１項の構成に加えて、前記開口部には、その周囲に複数の紐通し用孔が設けられ、前記紐通し用孔には第１及び第２の引き絞り紐が挿通されてなることを特徴とする。
【００１２】
さらに、本発明の請求項６に係る防護用かぶり物は、上記請求項２〜５のいずれか１項の構成に加えて、矩形シートの上部左右の隅角部を斜めに切除した形状をなす正面側シート部と、当該正面側シート部と同一大の背面側シート部とを重ね合わせ、開口部となる下端を除く周囲を閉塞した袋体において、正面側シート部と背面側シート部との双方同位置に同形状の呼吸用孔及び目視用孔とを設けたことを特徴とする。
【００１３】
さらにまた、本発明の請求項７に係る防護用かぶり物は、上記請求項１〜６のいずれか１項の構成に加えて、前記袋体における上部内周面に有色シートが配設されていることを特徴とする。
【発明の効果】
【００１４】
本発明に係る防護用かぶり物は、上記のように構成したため、外出時に嵩張ることなく、衣服のポケットやバッグの片隅に入れて持ち運びすることができる。そして、不意に雨が降ってきても、少なくとも顔面を含む頭部を雨から防ぐことができる。しかも歩行時のみならず自転車乗車時でも使用することができる。さらに、ハイキングや登山などで風雨、日光、寒さなどから少なくとも顔面を含む頭部を簡単に守ることができる。もちろんレインコート、傘、ポンチョ等の雨具と併用すれば、より一層効果的である。
【図面の簡単な説明】
【００１５】
【図１】本発明の実施例１に係る防護用かぶり物の正面図である。
【図２】本発明の実施例１に係る防護用かぶり物の背面図である。
【図３】本発明の実施例１に係る防護用かぶり物における袋体の中央縦断面図である。
【図４】本発明の実施例１に係る防護用かぶり物における袋体の中央横断面図である。
【図５】本発明の実施例１に係る防護用かぶり物の開口部を広げて膨らました状態を示す斜視図である。
【図６】本発明の実施例１に係る防護用かぶり物の使用状態を示す斜視図である。
【図７】本発明の実施例２に係る防護用かぶり物の正面図である。
【図８】本発明の実施例２に係る防護用かぶり物における袋体の中央縦断面図である。
【図９】本発明の実施例２に係る防護用かぶり物の使用状態を示す斜視図である。
【発明を実施するための形態】
【００１６】
本発明の好適な実施例を添付の図に従って詳細に説明する。
【実施例１】
【００１７】
図１〜図６は実施例１を示し、当該図において、Ａは実施例１に係る防護用かぶり物であって、防護用かぶり物Ａは、袋体１０と引き絞り紐２０とから構成される。
【００１８】
袋体１０は、図１〜図５に示すように、透明樹脂シートからなる正面側シート部１と、同じく透明樹脂シートからなる背面側シート部２とを、開口部３を構成する下端を除いて、その周囲を溶着して構成される。前記正面側シート部１は背面側シート部２と同一大であって、矩形状のシートの上部左右の隅角部を斜めに切除した形状をなすものである。
【００１９】
前記袋体１０には、呼吸用孔１１及び左右２箇所の目視用孔１２ａ、１２ｂが設けられている。
【００２０】
すなわち、前記呼吸用孔１１は、着用者の口の位置に合致するように、正面側シート部１及び背面側シート部２における上下方向中央より下方の位置に設けられており、目視用孔１２ａ、１２ｂは、着用者の目の位置に合致するように、正面側シート部１及び背面側シート部２における上下方向中央部近傍の左右の位置に設けられている。
【００２１】
そして、前記呼吸用孔１１及び目視用孔１２ａ、１２ｂは、袋体１０の正背同一の箇所に設けられるように、正面側シート部１及び背面側シート部２を重ね合わせた状態で２枚共に貫通させた孔により構成されている。
【００２２】
また、袋体１０の開口部３には、その周囲に複数の紐通し用孔１３が設けられており、当該紐通し用孔１３を利用して、前記引き絞り紐２０が配設されている。
【００２３】
すなわち、前記引き絞り紐２０は、正面側から背面側に至る左右一対の第１及び第２の引き絞り紐２１、２２と、後述する端末部材２３、２４とから構成される。第１及び第２の引き絞り紐２１、２２は、それぞれ前記紐通し用孔１３に挿通されることにより袋体１０の開口部３に配設される。
【００２４】
袋体１０の正面側においては、前記第１の引き絞り紐２１における一方の端部２１ａと第２の引き絞り紐２２における一方の端部２２ａとが正面中央において引き揃えられて、その引き揃えられた両端部に端末部材２３が挿通されて取り付けられる。
【００２５】
袋体１０の背面側においては、前記第１の引き絞り紐２１における他方の端部２１ｂと第２の引き絞り紐２２における他方の端部２２ｂとが背面中央において引き揃えられて、その引き揃えられた両端部に端末部材２４が挿通されて取り付けられる。
【００２６】
このように、袋体１０の開口部３には、その周囲に配設された第１及び第２の引き絞り紐２１、２２と、両引き絞り紐２１、２２の両端部に設けた端末部材２３、２４とによりリング状の引き絞り紐２０が形成される。
【００２７】
そして、前記端末部材２３、２４はいずれも同一構造のものであり、紐を挿通することが可能な本体ａと操作部ｂとから構成され、操作部ｂはその一端が本体ａ内に入り込んでいて、本体Ａに内蔵されているバネにより、操作部ｂを本体ａ内に押圧してもその押圧力に反発する押出力により元に戻るように操作部ｂは付勢されており、操作部ｂを本体ａに対して押圧すれば、紐に対して端末部材がスライド可能になり、操作部ｂの押圧力を解除すれば、紐に対して端末部材が固定される仕組みになっている。
【００２８】
この端末部材２３、２４の操作により、操作部ｂを本体ａに押圧して端末部材２３、２４に挿通された引き絞り紐の両端部を端末部材２３、２４から引き出すと、リング状の引き絞り紐２０を引き絞ることができるので袋体１０の開口部３の口径が小さくなり、その時点で操作部ｂの押圧力を解除すると引き絞り紐２０に対して端末部材が固定されて開口部３の口径が固定される。また、操作部ｂを本体ａに対して押圧し、端末部材２３、２４を挿通された引き絞り紐の両端部側へスライドさせると、袋体１０の開口部３の口径を大きくすることができる。
【００２９】
上記の構成をなす防護用かぶり物Ａを、図６に示すように、着用者の顔面を含む頭部に装着すると、呼吸用孔１１は着用者の口の位置にくるので普通に呼吸ができ、目視用孔１２ａ、１２ｂは着用者の目の位置にくるので普通に前方を見ることができる。しかも、正面側シート部１及び背面側シート部２はいずれも透明シートからなるため、着用者は当該防護用かぶり物Ａを着用しても視界の妨げにはならない。そして、首回りに位置する引き絞り紐２０を端末部材を利用して引き絞ると装着が完了する。
【００３０】
また、当該防護用かぶり物Ａは、正面側と背面側とを同一にしているので、どちら側を顔面側にしてもよい。また、装着中に顔面側のシートが汚れた場合には、首を中心にして開口部を１８０度回転させれば、正面側と背面側とを変えることができる。
【００３１】
もちろん、当該防護用かぶり物Ａは、帽子やヘルメットをかぶった状態でも着用できることはいうまでもない。
【００３２】
本実施例に係る防護用かぶり物Ａは、上記のように構成したため、全体的に扁平な形態であってコンパクトに折り畳むことが可能であるため、外出時に、嵩張ることなく衣服のポケットやバッグの片隅に入れて持ち運びすることができる。そして、外出時に不意に雨が降ってきても、少なくとも顔面を含む頭部を雨から防ぐことができる。しかも歩行時のみならず自転車乗車時でも使用することができる。さらに、ハイキングや登山などで風雨、日光、寒さなどから少なくとも顔面を含む頭部を簡単に守ることができる。もちろんレインコート、傘、ポンチョ等の雨具と併用すれば、より一層効果的である。集中豪雨やゲリラ豪雨に遭遇したときに傘が全く役に立たないような場合でも、当該防護用かぶり物Ａさえあれば、少なくとも顔面を含む頭部は濡れずに済み、見通しがきくので、不安感が和らぎ、行動が行いやすい利点がある。
【００３３】
なお、本実施例においては、袋体１０は正面側シート部１及び背面側シート部２を溶着して構成されてなるが、正面側シート部１と背面側シート部２との左右の端部それぞれに側面側シートを介在させて構成してもよい。また、正面側シート部１及び背面側シート部２は、溶着ではなく他の方法により接着してもよく、また、筒状体を使用して左右に接着箇所が形成されないようにしてもよい。さらに、その形状も、矩形状のシートの上部左右の隅角部を斜めに切除した形状でなくてもよく、上部が半円状のものでもよく、矩形状のままでもよい。さらにまた、正面側シート部１及び背面側シート部２を含む袋体１０は、紫外線や雨水に対して耐候性がある合成樹脂シートが好ましい。また、袋体１０は柔軟性がある合成樹脂シートで構成すると装着しやすく、かつ、肌触りがよいので好適である。
【００３４】
引き絞り紐２０における第１及び第２の引き絞り紐２１、２２は、上記のものに限られるものではなく、正面中央から背面側を経由して正面中央に至る第１の引き絞り紐と、背面中央から正面側を経由して背面中央に至る第２の引き絞り紐であってもよい。具体的には、前記第１の引き絞り紐は、その一方の端部が、背面中央から左方向に通されて左側端部を経由して正面中央に至り、他方の端部が、背面中央から右方向に通されて右側端部を経由して正面中央に至り、正面中央において両端部が引き揃えられて端末部材が取り付けられ、前記第２の引き絞り紐は、その一方の端部が、正面中央から左方向に通されて左側端部を経由して背面中央に至り、他方の端部が、正面中央から右方向に通されて右側端部を経由して背面中央に至り、背面中央において両端部が引き揃えられて端末部材が取り付けられてなる２重のリングを形成する引き絞り紐であってもよい。なお、この場合においても、紐の通し方は上記の方法に限られるものではなく、最終形態が上記のように２重のリングを形成し、正面中央及び背面中央にそれぞれ端末部材が配置されるようになればよい。
【００３５】
さらにまた、端末部材２３、２４も上記したものに限られるものではなく、同様の機能を果たすものであればよい。
【実施例２】
【００３６】
図７〜図９は実施例２を示す。当該実施例２は、上記実施例１における防護用かぶり物Ａを一部変更したものであり、それ以外の構成は実施例１と同様であるので、実施例１と同一の構成については、実施例１の説明を援用して省略し、図中の記号も同一の記号を使用する。
【００３７】
図７〜図９に示す防護用かぶり物Ｂは、袋体１１０の上部内周面に有色シート１００を配設したものである。
【００３８】
具体的には、有色シート１００は、袋体１１０の内面側において、目視用孔１２ａ、１２ｂの若干上方の位置から袋体１１０の上端まで配設されている。
【００３９】
すなわち、正面側シート部１と背面側シート部２の上部側において両シートの間に、当該正面側シート部１と背面側シート部２の上部側と同形状の台形をなす合成樹脂製の２枚の有色シート１００を挟み込み、正面側シート部１及び背面側シート部２と共に２枚の有色シート１００の周囲を溶着して形成される。
【００４０】
なお、有色シート１００の形状は、袋体１１０の上部の形状に合わせて変化させることはいうまでもない。
【００４１】
このように構成された防護用かぶり物Ｂは、これを着用すると、図９に示すように、直射日光を遮る効果があり、また、有色シート１００の色彩を種々変更すると装飾的効果を向上させることができる。
【００４２】
なお、有色シート１００として、紫外線を反射させる二酸化チタン、酸化亜鉛、ベンガラ、カオリンなどの無機物の超微粒子を練り込んだ合成樹脂シートや、紫外線を吸収して微小な熱エネルギーに変換して放出するサリチル酸系、ベンゾフェノン系、ベンゾトリアゾール系、安息香酸系、シアノアクリレート系の芳香族化合物を付着加工して合成樹脂シートを使用すれば、紫外線対策として効果的である。
【００４３】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４４】
Ａ…………防護用かぶり物
１…………正面側シート部
２…………背面側シート部
３…………開口部
１０………袋体
１１………呼吸用孔
１２ａ……目視用孔
１２ｂ……目視用孔
１３………紐通し用孔
２０………引き絞り紐
２１………第１の引き絞り紐
２１ａ……第１の引き絞り紐の一方の端部
２１ｂ……第１の引き絞り紐の他方の端部
２２………第２の引き絞り紐
２２ａ……第２の引き絞り紐の一方の端部
２２ｂ……第２の引き絞り紐の他方の端部
２３………端末部材
２４………端末部材
ａ…………端末部材の本体
ｂ…………操作部
Ｂ…………防護用かぶり物
１１０……袋体
１００……有色シート
【図１】
2020012211.tif 000003
【図２】
2020012211.tif 000004
【図３】
2020012211.tif 000005
【図４】
2020012211.tif 000006
【図５】
2020012211.tif 000007
【図６】
2020012211.tif 000008
【図７】
2020012211.tif 000009
【図８】
2020012211.tif 000010
【図９】
2020012211.tif 000011
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
少なくとも正面側シート部と背面側シート部とを備え、下端に開口部を有する袋体であって、
前記正面側シート部及び背面側シート部は、それらの全体が透明素材よりなり、
前記正面側シート部及び背面側シート部には、上下方向中央より下方の位置に各シート部を共に貫通する呼吸用孔が設けられ、
前記開口部には、その周囲に第１及び第２の引き絞り紐が配設され、
各引き絞り紐の端部は、正面中央と背面中央とで引き揃えられて、それぞれの端部に引き絞り紐を引き絞って固定することが可能な端末部材が取り付けられてなる
ことを特徴とする防護用かぶり物。
【請求項２】
前記正面側シート部及び背面側シート部には、上下方向中央部近傍の左右の位置に各シート部を貫通する目視用孔が設けられている
ことを特徴とする請求項１に記載の防護用かぶり物。
【請求項３】
前記第１及び第２の引き絞り紐は、正面側から背面側に至る左右一対の引き絞り紐であって、
前記第１の引き絞り紐における一方の端部と第２の引き絞り紐における一方の端部とが正面中央において引き揃えられて、その両端部に前記端末部材が取り付けられ、
前記第１の引き絞り紐における他方の端部と第２の引き絞り紐における他方の端部とが背面中央において引き揃えられて、その両端部に前記端末部材が取り付けられてなる
ことを特徴とする請求項１又は２に記載の防護用かぶり物。
【請求項４】
前記第１及び第２の引き絞り紐は、正面中央から背面側を経由して正面中央に至る第１の引き絞り紐と、背面中央から正面側を経由して背面中央に至る第２の引き絞り紐であって、
前記第１の引き絞り紐における一方の端部と第１の引き絞り紐における他方の端部とが正面中央において引き揃えられて、その両端部に前記端末部材が取り付けられ、
前記第２の引き絞り紐における一方の端部と第２の引き絞り紐における他方の端部とが背面中央において引き揃えられて、その両端部に前記端末部材が取り付けられてなる
ことを特徴とする請求項１又は２に記載の防護用かぶり物。
【請求項５】
前記開口部には、その周囲に複数の紐通し用孔が設けられ、
前記紐通し用孔には第１及び第２の引き絞り紐が挿通されてなる
ことを特徴とする請求項１〜４のいずれか１項に記載の防護用かぶり物。
【請求項６】
矩形シートの上部左右の隅角部を斜めに切除した形状をなす正面側シート部と、当該正面側シート部と同一大の背面側シート部とを重ね合わせ、開口部となる下端を除く周囲を閉塞した袋体において、
正面側シート部と背面側シート部との双方同位置に同形状の呼吸用孔及び目視用孔とを設けた
ことを特徴とする請求項２〜５のいずれか１項に記載の防護用かぶり物。
【請求項７】
前記袋体における上部内周面に有色シートが配設されている
ことを特徴とする請求項１〜６のいずれか１項に記載の防護用かぶり物。
【手続補正２】
【補正対象書類名】明細書
【補正対象項目名】０００７
【補正方法】変更
【補正の内容】
【０００７】
本発明の請求項１に係る防護用かぶり物は、少なくとも正面側シート部と背面側シート部とを備え、下端に開口部を有する袋体であって、前記正面側シート部及び背面側シート部は、それらの全体が透明素材よりなり、前記正面側シート部及び背面側シート部には、上下方向中央より下方の位置に各シート部を共に貫通する呼吸用孔が設けられ、前記開口部には、その周囲に第１及び第２の引き絞り紐が配設され、各引き絞り紐の端部は、正面中央と背面中央とで引き揃えられて、それぞれの端部に引き絞り紐を引き絞って固定することが可能な端末部材が取り付けられてなることを特徴とする。